(57)【要約】【課題】省エネ効果の高いデシカント空調装置を提供する。【解決手段】処理対象空気Ａを減湿手段３，６により乾燥剤Ｘを用いて減湿し、この減湿後空気Ｂを冷却手段４により冷媒ＣＷと熱交換させて冷却し、この冷却空気Ｃを加湿手段５により加湿するデシカント空調装置において、減湿量の調整により減湿後空気Ｂの絶対湿度ｘｂを目標低下湿度ｘｂｓに調整し、かつ、冷却量の調整により冷却後空気Ｃの温度ｔｃを調整する制御手段１９を設け、この制御手段１９を、冷却手段４に対する供給冷媒ＣＷの温度低下に応じ目標低下湿度ｘｂｓを上昇側に変更し、かつ、冷却手段４に対する供給冷媒ＣＷの温度上昇に応じ目標低下湿度ｘｂｓを低下側に変更する構成にする。【選択図】        図３
2004316975.tif 000002
【特許請求の範囲】
【請求項１】
処理対象空気を乾燥剤により減湿する減湿手段と、その減湿手段による減湿後の空気を冷媒と熱交換させて冷却する冷却手段と、その冷却手段による冷却後の空気を加湿する加湿手段と、
前記減湿手段による処理対象空気の減湿処理に使用した前記乾燥剤を加熱により再生して、その再生した乾燥剤を再び前記減湿手段による処理対象空気の減湿処理に供する再生手段と、
前記減湿手段による減湿量を調整して、前記減湿手段による減湿後の空気の絶対湿度を目標低下湿度に調整し、かつ、前記冷却手段に対する冷媒供給流量の調整により前記冷却手段による冷却量を調整して、前記冷却手段による冷却後の空気の温度を調整する制御手段とを備えるデシカント空調装置であって、
前記制御手段を、前記冷却手段に対する供給冷媒の温度低下に応じ前記目標低下湿度を上昇側に変更し、かつ、前記冷却手段に対する供給冷媒の温度上昇に応じ前記目標低下湿度を低下側に変更する構成にしてあるデシカント空調装置。
【請求項２】
前記制御手段を、流量調整手段の操作により前記冷却手段に対する冷媒供給流量を調整して前記冷却手段による冷却量を調整するとともに、前記冷却手段に対する供給冷媒の温度変化に応じた前記目標低下湿度の変更を前記流量調整手段の操作状態に基づき実行する構成にしてある請求項１記載のデシカント空調装置。
【発明の詳細な説明】
【０００１】
【発明の属する技術分野】
本発明は、デシカント（乾燥剤）空調装置に関し、詳しくは、
処理対象空気を乾燥剤により減湿する減湿手段と、その減湿手段による減湿後の空気を冷媒と熱交換させて冷却する冷却手段と、その冷却手段による冷却後の空気を加湿する加湿手段と、
前記減湿手段による処理対象空気の減湿処理に使用した前記乾燥剤を加熱により再生して、その再生した乾燥剤を再び前記減湿手段よる処理対象空気の減湿処理に供する再生手段と、
前記減湿手段による減湿量を調整して、前記減湿手段による減湿後の空気の絶対湿度を目標低下湿度に調整し、かつ、前記冷却手段に対する冷媒供給流量の調整により前記冷却手段による冷却量を調整して、前記冷却手段による冷却後の空気の温度を調整する制御手段とを備えるデシカント空調装置に関する。
【０００２】
【従来の技術】
この種のデシカント空調装置では（図１，図２参照）、制御手段１９による減湿量の調整下において減湿手段３，６により乾燥剤Ｘを用いて処理対象空気Ａを減湿することで、その処理対象空気Ａを絶対湿度ｘｂが目標低下湿度ｘｂｓ（＝ｘ１）の低湿高温空気Ｂに調整し、これに続き、この減湿後の低湿高温空気Ｂを冷却手段４により所要の冷却温度ｔｃｓ（＝ｔ１）に冷却するとともに、その冷却後の低湿空気Ｃを加湿手段５により加湿することで、目標温湿度状態ｔｄｓ，ｘｄｓの空気Ｄを得るが、従来、この種のデシカント空調装置では、一定の目標温湿度状態ｔｄｓ，ｘｄｓの空気Ｄを得るのに、目標低下湿度ｘｂｓを一定の設定値ｘ１に固定しており、この目標低下湿度ｘｂｓの固定により冷却手段４による空気冷却での所要冷却温度ｔｃｓを一定値ｔ１に固定化した状態で、装置運転を実施していた（下記の特許文献１を参照）。
【０００３】
すなわち、冷媒との熱交換による空気冷却では空気が未飽和状態において一定絶対湿度の下で状態変化（Ｂ→Ｃの状態変化）し、また、空気加湿では加湿方式によって決まる一定変化特性の下で空気が状態変化（例えば、湿球温度線ｍに沿う状態でのＣ→Ｄの状態変化）することから、目標低下湿度ｘｂｓを一定の設定値ｘ１に固定すれば、一定の目標温湿度状態ｔｄｓ，ｘｄｓの空気Ｄを得る上で、冷却手段４による空気冷却での所要冷却温度ｔｃｓも上記の如く一定値ｔ１に固定化されるが、従来装置では、目標低下湿度ｘｂｓを低く設定して、その低い設定値ｘ１に固定することで、冷却手段４による空気冷却での所要冷却温度ｔｃｓを実現が容易な高めの温度ｔ１に固定化し、これにより、冷却手段４に対する供給冷媒ＣＷが温度変動により上昇側に温度変化したときにも、減湿後空気Ｂを冷媒供給流量の調整による冷却量調整の調整範囲内で確実に所要冷却温度ｔｃｓ（＝ｔ１）まで冷却できるように（略言すれば、供給冷媒ＣＷの温度上昇で冷却手段４による空気冷却の冷却限界温度ｔｃｃが所要冷却温度ｔｃｓより高くなってしまうことが無いように）して、装置運転の安定化を図っていた。
【０００４】
なお、本明細書では、空気の温度について単に温度と称する場合、その温度は乾球温度を意味し、また、空気の湿度について単に湿度と称する場合、その湿度は絶対湿度を意味する。
【０００５】
【特許文献１】
特開２００２−２２２５３号公報
【０００６】
【発明が解決しようとする課題】
しかし、従来装置では（同図１，図２参照）、減湿手段３，６による減湿において常に処理対象空気Ａを上記の如く低く設定された固定の目標低下湿度ｘｂｓ（＝ｘ１）まで大きく湿度低下させる為、そのような大きな減湿量を維持するのに、再生手段７による乾燥剤再生に要する加熱量が嵩み、また、固定の目標低下湿度ｘｂｓ（＝ｘ１）まで大きく湿度低下させた減湿後空気Ｂを冷却手段４による冷却に続く加湿手段５による加湿で目標温湿度状態ｔｄｓ，ｘｄｓに調整するのに要する加湿量も嵩み、このことが省エネ促進の上で解決すべき問題になっていた。
【０００７】
この実情に鑑み、本発明の主たる課題は、冷却手段に対する供給冷媒の温度変化にかかわらず装置運転を安定的に実施できるようにしながら、高い省エネ効果を得られるようにする点にある。
【０００８】
【課題を解決するための手段】
〔１〕請求項１に係る発明はデシカント空調装置に係り、その特徴は、
処理対象空気を乾燥剤により減湿する減湿手段と、その減湿手段による減湿後の空気を冷媒と熱交換させて冷却する冷却手段と、その冷却手段による冷却後の空気を加湿する加湿手段と、
前記減湿手段による処理対象空気の減湿処理に使用した前記乾燥剤を加熱により再生して、その再生した乾燥剤を再び前記減湿手段による処理対象空気の減湿処理に供する再生手段と、
前記減湿手段による減湿量を調整して、前記減湿手段による減湿後の空気の絶対湿度を目標低下湿度に調整し、かつ、前記冷却手段に対する冷媒供給流量の調整により前記冷却手段による冷却量を調整して、前記冷却手段による冷却後の空気の温度を調整する制御手段とを備えるデシカント空調装置において、
前記制御手段を、前記冷却手段に対する供給冷媒の温度低下に応じ前記目標低下湿度を上昇側に変更し、かつ、前記冷却手段に対する供給冷媒の温度上昇に応じ前記目標低下湿度を低下側に変更する構成にしてある点にある。
【０００９】
つまり、この構成によれば、冷却手段４に対する供給冷媒ＣＷが温度上昇したときには（図１，図２参照）、先述の従来装置と同様、目標低下湿度ｘｂｓを低い値ｘ１にして、冷却手段４による空気冷却での所要冷却温度ｔｃｓを実現が容易な高い温度ｔ１にし、この状態で、処理対象空気Ａに対し減湿手段３，６による減湿処理（Ａ→Ｂ）と冷却手段４による冷却処理（Ｂ→Ｃ）と加湿手段５による加湿処理（Ｃ→Ｄ）とをその順に施して、処理対象空気Ａを一定の目標温湿度状態ｔｄｓ，ｘｄｓに調整するから、供給冷媒ＣＷの温度上昇にかかわらず、減湿後空気Ｂを冷媒供給流量の調整による冷却量調整の調整範囲内で確実に所要冷却温度ｔｃｓ（＝ｔ１）まで冷却できるようにした状態（すなわち、冷却限界温度ｔｃｃが所要冷却温度ｔｃｓより高くなる事態を回避した状態）で、装置運転を安定的に実施することができる。
【００１０】
そして逆に、冷却手段４に対する供給冷媒ＣＷが温度低下したときには（同図１，図３参照）、目標低下湿度ｘｂｓを高い値ｘ２（＞ｘ１）に変更して、冷却手段４による空気冷却での所要冷却温度ｔｃｓを冷媒温度低下による冷却限界温度ｔｃｃの低下に追従させる形態で低い温度ｔ２（＜ｔ１）に移行させ、この状態で、処理対象空気Ａに対し減湿手段３，６による減湿処理（Ａ→Ｂ）と冷却手段４による冷却処理（Ｂ→Ｃ）と加湿手段５による加湿処理（Ｃ→Ｄ）とをその順に施して、処理対象空気Ａを一定の目標温湿度状態ｔｄｓ，ｘｄｓに調整するから、同じく装置運転を安定的に実施しながらも、目標低下湿度ｘｂｓの上昇側への変更（ｘ１→ｘ２）による必要減湿量の低減分だけ、再生手段７による乾燥剤再生に要する加熱量、及び、減湿後空気Ｂを冷却手段４による冷却に続く加湿手段５による加湿で目標温湿度状態ｔｄｓ，ｘｄｓに調整するのに要する加湿量を低減することができ、これにより、高い省エネ効果を得ることができる。
【００１１】
〔２〕請求項２に係る発明は、請求項１に係る発明の実施に好適な実施形態を特定するものであり、その特徴は、
前記制御手段を、流量調整手段の操作により前記冷却手段に対する冷媒供給流量を調整して前記冷却手段による冷却量を調整するとともに、前記冷却手段に対する供給冷媒の温度変化に応じた前記目標低下湿度の変更を前記流量調整手段の操作状態に基づき実行する構成にしてある点にある。
【００１２】
つまり（図１〜図３参照）、流量調整手段１２の操作による冷媒供給流量の調整で冷却手段４の冷却量を調整して、冷却手段４による冷却後の空気Ｃの温度ｔｃを上記の所要冷却温度ｔｃｓに調整するには、供給冷媒ＣＷの温度低下に対し流量調整手段１２を流量減少側に操作し、逆に、供給冷媒ＣＷの温度上昇に対し流量調整手段１２を流量増大側に操作するから、この流量調整手段１２の操作状態は冷却手段４に対する供給冷媒ＣＷの温度を反映する。
【００１３】
したがって、冷却手段４に対する供給冷媒ＣＷの温度変化に応じた目標低下湿度ｘｂｓの変更（すなわち、供給冷媒ＣＷの温度低下に応じた目標低下湿度ｘｂｓの上昇側への変更、及び、供給冷媒ＣＷの温度上昇に応じた目標低下湿度ｘｂｓの低下側への変更）を上記の如く流量調整手段１２の操作状態に基づき実行すれば、目標低下湿度ｘｂｓを供給冷媒ＣＷの温度に対し的確に対応させて変更することができ、これにより、目標低下湿度ｘｂｓの変更による前述の如き所期の機能を一層効果的に得ることができる。
【００１４】
また、目標低下湿度ｘｂｓの変更と流量調整手段１２による冷媒供給流量の調整との連係を簡素かつ親密にすることができて、装置の信頼性も向上し得るとともに、目標低下湿度ｘｂｓの変更制御に用いる専用の冷媒温度センサを不要にすることができて、装置全体としての必要センサ数も低減することができる。
【００１５】
【発明の実施の形態】
図１はデシカント空調装置を示し、１は空調機、２は外気ＯＡへの放熱により冷却水ＣＷを冷却する冷却塔であり、空調機１には、シリカゲル等の乾燥剤Ｘにより空気を減湿する通気性の減湿ロータ３、冷却塔２からの供給冷却水ＣＷにより空気を冷却する冷却器４、並びに、水散布により空気を加湿するエアワッシャ５をその順に空気通過方向の上流側から並べて装備してある。
【００１６】
減湿ロータ３は、空調機１の空気入口部における減湿室６と、その減湿室６に隣接させて空調機１に付帯装備した再生室７とに跨らせた状態に配備して、回転により減湿ロータ３の周方向各部を減湿室６と再生室７とに交互に位置させるようにしてあり、減湿室６では、空調機１へ導入する処理対象空気Ａを室内通過過程にあるロータ部分３ａに通気することで、そのロータ部分３ａの乾燥剤Ｘにより処理対象空気Ａを減湿する。
【００１７】
また、再生室７では、再生用高温気体Ｈを室内通過過程にあるロータ部分３ｂに通気することで、そのロータ部分３ｂの乾燥剤Ｘ（すなわち、先に減湿室６において処理対象空気Ａの減湿に用いた乾燥剤）を加熱して再生し、これにより、減湿ロータ３の回転に伴い、再生室７において乾燥剤Ｘの再生処理を併行しながら、減湿室６において処理対象空気Ａを乾燥剤Ｘにより連続的に減湿処理する。
【００１８】
再生用高温気体Ｈとしては、コージェネレーション・システムを構成する発電用マイクロガスタービン８から排出されるタービン排ガスＧと外気ＯＡとの混合気体を再生用ファン９により再生室７に供給するようにしてあり、また、それらタービン排ガスＧ及び外気ＯＡ夫々の供給風量を調整する再生用弁装置１０ａ，１０ｂを設け、これら再生用弁装置１０ａ，１０ｂによる風量調整により、再生室７に供給する再生用高温気体Ｈの温度や風量を調整する（場合によっては、減湿ロータ３の回転速度も調整する）ことで、再生室７での乾燥剤再生の再生能力を調整し、この再生能力の調整により減湿室６での減湿処理における処理対象空気Ａからの減湿量を調整する。
【００１９】
１１は冷却塔２と冷却器４との間で冷却水ＣＷを循環させる循環ポンプ、１２は冷却器４に対する冷却水ＣＷの供給流量を調整する流量調整弁であり、この流量調整弁１２による冷却水供給流量の調整により、減湿室６での減湿後の空気Ｂに対する冷却器４での冷却量を調整する。
【００２０】
エアワッシャ５は、通過空気Ｃに対する多数の散水ノズル１３と、それら散水ノズル１３からの散布水Ｗのうち未蒸発で落下する水を受け止める水槽１４とを備えており、この水槽１４における貯留水Ｗを散水ポンプ１５により散水ノズル１３に循環供給する形態で、散水ノズル１３から多量の水Ｗを通過空気Ｃに対し散布することにより、冷却器４での冷却後の空気Ｃを湿球温度線に沿わせて状態変化させる形態で飽和近傍状態まで加湿する。
【００２１】
１７は水槽１４に対して自動的に水補給する補給水弁装置であり、１８は空調機１の機内に空気通過させるとともにエアワッシャ５での加湿後の空気Ｄを空調機１から送出する給気ファンである。
【００２２】
一方、運転制御については、減湿室６で減湿した空気Ｂの露点温度ｔｂ″を検出する露点温度センサＳ１、エアワッシャ５で加湿した空気Ｄの温度ｔｄを検出する温度センサＳ２、並びに、これらセンサＳ１，Ｓ２の検出情報に基づいて減湿室６での減湿量、及び、冷却器４での冷却量を調整する制御器１９を設けてあり、この制御器１９は次の（イ）〜（ハ）の制御を実行する（図２参照）。
【００２３】
（イ）露点温度センサＳ１の検出情報に基づき、再生用弁装置１０ａ，１０ｂを自動操作（場合によっては減湿ロータ３の回転速度も調整）して、再生室７での乾燥剤再生の再生能力の調整により減湿室６での処理対象空気Ａからの減湿量を調整し、この減湿量の調整により、減湿室６での減湿後の空気Ｂの露点温度ｔｂ″を目標低下露点温度ｔｂｓ″に調整する。
【００２４】
換言すれば、この減湿量の調整により、減湿室６での減湿後の空気Ｂの絶対湿度ｘｂを目標低下露点温度ｔｂｓ″に対応する目標低下湿度ｘｂｓに調整する。
【００２５】
（ロ）温度センサＳ２の検出情報に基づき、流量調整弁１２を自動操作して、冷却器４に対する冷却水供給流量の調整により減湿室６での減湿後の空気Ｂに対する冷却器４での冷却量を調整し、この冷却量の調整により、エアワッシャ５での加湿後の空気Ｄの温度ｔｄを目標温度ｔｄｓに調整して、その加湿後空気Ｄを目標温湿度状態ｔｄｓ，ｘｄｓ（本例では目標温度ｔｄｓで飽和近傍の状態）にする。
【００２６】
換言すれば、この冷却量の調整により、冷却器４での冷却後の空気Ｃの温度ｔｃを、その冷却後空気Ｃがエアワッシャ５での加湿による湿球温度線ｍに沿った状態変化で目標温湿度状態ｔｄｓ，ｘｄｓに至る状態となる所要冷却温度ｔｃｓに調整する。なお、図中Ｌは飽和線である。
【００２７】
（ハ）上記冷却量調整における流量調整弁１２の自動操作で、流量調整弁１２の開度αが図４に示す如く設定上限開度α１よりも開き側（α＞α１）になったとき、目標低下露点温度ｔｂｓ″を高温側設定値ｔ２″から低温側設定値ｔ１″に変更し、逆に、流量調整弁１２の開度αが図５に示す如く設定下限開度α２よりも閉じ側（α＜α２）になったとき、目標低下露点温度ｔｂｓ″を低温側設定値ｔ１″から高温側設定値ｔ２″に変更する。
【００２８】
また、流量調整弁１２の開度αが図６に示す如く設定上限開度α１と設定下限開度α２との間にあるとき（α１≦α≦α２）には、目標低下露点温度ｔｂｓ″を現状値に維持する。
【００２９】
換言すれば、流量調整弁１２の開度αが設定上限開度α１よりも開き側になったとき、目標低下露点温度ｔｂｓ″に対応する目標低下湿度ｘｂｓを高湿側設定値ｘ２から低湿側設定値ｘ１に変更し、逆に、流量調整弁１２の開度αが設定下限開度α２よりも閉じ側になったとき、目標低下露点温度ｔｂｓ″に対応する目標低下湿度ｘｂｓを低湿側設定値ｘ１から高湿側設定値ｘ２に変更し、そして、流量調整弁１２の開度αが設定上限開度α１と設定下限開度α２との間にあるときには、目標低下露点温度ｔｂｓ″に対応する目標低下湿度ｘｂｓを現状値に維持する。
【００３０】
すなわち、外気の状態変化による冷却塔２の性能変化で冷却器４に対する供給冷却水ＣＷの温度が変化することに対し、この（ハ）の制御では、冷却器４に対する供給冷却水ＣＷの温度変化を上記（ロ）の制御による冷却量調整上での流量調整弁１２の開度変化により検知するようにしている。
【００３１】
そして、冷却器４に対する供給冷却水ＣＷの温度上昇で流量調整弁１２の開度αが設定上限開度α１よりも開き側になったとき、上記の如く目標低下露点温度ｔｂｓ″を高温側設定値ｔ２″から低温側設定値ｔ１″に変更することにより、同図２に示す如く、冷却器４での空気冷却における所要冷却温度ｔｃｓ（すなわち、冷却後空気Ｃをエアワッシャ５での加湿による湿球温度線ｍに沿った状態変化で目標温湿度状態ｔｄｓ，ｘｄｓに至らせるのに必要な冷却後の空気温度）を、供給冷却水ＣＷの温度上昇による冷却限界温度ｔｃｃの上昇に対応させる形態で高い温度ｔ１に移行させ、この状態において、減湿室６での減湿処理（Ａ→Ｂ）と冷却器４での冷却処理（Ｂ→Ｃ）とエアワッシャ５での加湿処理（Ｃ→Ｄ）とをその順に調整対象空気Ａに施すとともに、前記（イ）の制御による減湿量調整、及び、前記（ロ）の制御による冷却量調整を実行することにより、供給冷却水Ｗの温度上昇で冷却器４での空気冷却における冷却限界温度ｔｃｃが所要冷却温度ｔｃｓよりも高くなってしまう事態を回避した状態で、処理対象空気Ａを目標温湿度状態ｔｄｓ，ｘｄｓに調整する。
【００３２】
また逆に、冷却器４に対する供給冷却水ＣＷの温度低下で流量調整弁１２の開度αが設定下限開度α２よりも閉じ側になったとき、上記の如く目標低下露点温度ｔｂｓ″を低温側設定値ｔ１″から高温側設定値ｔ２″に変更することにより、図３に示す如く、冷却器４での空気冷却における所要冷却温度ｔｃｓを供給冷却水ＣＷの温度低下による冷却限界温度ｔｃｃの低下に追従させる形態で低い温度ｔ２に移行させ、この状態において、減湿室６での減湿処理（Ａ→Ｂ）と冷却器４での冷却処理（Ｂ→Ｃ）とエアワッシャ５での加湿処理（Ｃ→Ｄ）とをその順に調整対象空気Ａに施すとともに、前記（イ）の制御による減湿量調整、及び、前記（ロ）の制御による冷却量調整を実行することにより、目標低下露点温度ｔｂｓ″の上昇側への変更による必要減湿量の低減分だけ、再生室７での乾燥剤再生に要する加熱量、及び、減湿後空気Ｂを冷却器４での冷却に続くエアワッシャ５での加湿により目標温湿度状態ｔｄｓ，ｘｄｓに調整するのに要する加湿量を低減して消費エネルギを効果的に低減しながら、処理対象空気Ａを目標温湿度状態ｄｓ，ｘｄｓに調整する。
【００３３】
以上要するに、本実施形態において、減湿ロータ３及び減湿室６は、処理対象空気Ａを乾燥剤Ｘにより減湿する減湿手段を構成し、冷却器４は、減湿手段による減湿後の空気Ｂを冷媒（本実施形態では冷却水ＣＷ）と熱交換させて冷却する冷却手段を構成し、エアワッシャ５は、冷却手段による冷却後の空気Ｃを加湿する加湿手段を構成し、再生室７は、減湿手段による処理対象空気Ａの減湿処理に使用した乾燥剤Ｘを加熱により再生して、その再生した乾燥剤Ｘを再び減湿手段よる処理対象空気Ａの減湿処理に供する再生手段を構成する。
【００３４】
また、制御器１９は、減湿手段による減湿量を調整して減湿手段による減湿後の空気Ｂの絶対湿度ｘｂを目標低下湿度ｘｂｓに調整し、かつ、冷却手段に対する冷媒供給流量の調整により冷却手段による冷却量を調整して冷却手段による冷却後の空気Ｃの温度ｔｃを調整する制御手段を構成し、流量調整弁１２は冷却手段に対する冷媒供給流量を調整する流量調整手段を構成する。
【００３５】
そして、本実施形態において、上記制御手段としての制御器１９は、冷却手段に対する供給冷媒（供給冷却水ＣＷ）の温度低下に応じ目標低下湿度ｘｂｓを上昇側に変更し、かつ、冷却手段に対する供給冷媒（供給冷却水ＣＷ）の温度上昇に応じ目標低下湿度ｘｂｓを低下側に変更する構成にしてあり、また、流量調整手段の操作により冷却手段に対する冷媒供給流量を調整して冷却手段による冷却量を調整するとともに、冷却手段に対する供給冷媒の温度変化に応じた目標低下湿度ｘｂｓの変更を流量調整手段の操作状態に基づき実行する構成にしてある。
【００３６】
なお、本実施形態では、目標温度ｔｄｓで飽和近傍の状態を目標温湿度状態（ｔｄｓ，ｘｄｓ）として処理対象空気Ａを調整するが、目標温度ｔｄｓで飽和近傍の状態に調整した空気Ｄを用いて空調対象空間２０を所望の空調状態に調整するには、図７に示す如く、冷却器４による冷却後の空気Ｃの一部Ｃ′をエアワッシャ５に対するバイパス風路２１を通じエアワッシャ５による加湿後空気Ｄ（目標温度ｔｄｓで飽和近傍の状態の空気）に混合して、その混合空気Ｅを空調対象空間２０に供給するようにし、そして、エアワッシャ５による加湿後空気Ｄとエアワッシャ５をバイパスさせた冷却後空気Ｃ′との混合比をダンパ装置２２により調整することで、空調対象空間２０の所望空調状態に応じて、空調対象空間２０に供給する混合空気Ｅの温湿度状態を調整するようにしてもよい。
【００３７】
あるいはまた、図８に示す如く、エアワッシャ５による加湿後空気Ｄを加熱する再熱器２３を設けて、この再熱器２３で加熱した再熱空気Ｅ′を空調対象空間２０に供給するようにし、そして、この再熱器２３での空気加熱量を調整することで、空調対象空間２０の所望空調状態に応じて、空調対象空間２０に供給する再熱空気Ｅ′の温湿度状態を調整するようにしてもよい。
【００３８】
〔別の実施形態〕
次に別実施形態を列記する。
【００３９】
前述の実施形態では、乾燥剤Ｘによる処理対象空気Ａの減湿処理と乾燥剤Ｘの再生処理とを減湿ロータ３の使用により併行して連続的に行う例を示したが、処理対象空気Ａを乾燥剤Ｘにより減湿する減湿手段、及び、減湿手段による処理対象空気Ａの減湿処理に使用した乾燥剤Ｘを加熱により再生して、その再生した乾燥剤Ｘを再び減湿手段よる処理対象空気Ａの減湿処理に供する再生手段夫々の具体的な構成は種々の変更が可能であり、例えば、乾燥剤Ｘを収容した複数の処理塔のうち一部の処理塔に処理対象空気Ａを通気して処理対象空気Ａの減湿処理を実施している間に、他の処理塔に再生用高温気体Ｈを通気して乾燥剤Ｘの再生処理を行う形態で、減湿処理に用いる処理塔と再生処理に用いる処理塔とを交互的に切り換える構成にし、これにより、乾燥剤Ｘによる処理対象空気Ａの減湿処理と乾燥剤Ｘの再生処理とを併行して連続的に行うようにしてもよい。
【００４０】
また場合によっては、処理対象空気Ａの減湿処理を実施している間は乾燥剤Ｘの再生処理を休止し、逆に、乾燥剤Ｘの再生処理を実施している間は処理対象空気Ａの減湿処理を休止する形態で、乾燥剤Ｘによる処理対象空気Ａの減湿処理と乾燥剤Ｘの再生処理とを非併行の状態で交互的に行う構成にしてもよい。
【００４１】
再生用高温気体Ｈを用いて乾燥剤Ｘの再生処理を行う場合、再生用高温気体Ｈにはタービン排ガスＧと外気ＯＡとの混合気体に限らず、高温空気やバーナの燃焼排ガスなど種々の気体を採用でき、また、再生用高温気体Ｈを用いず加熱手段からの熱伝導による加熱で乾燥剤Ｘを再生するようにしてもよい。
【００４２】
前述の実施形態では、再生室７で減湿ロータ３に通気する再生用高温気体Ｈの温度や風量を調整することで、あるいはまた、減湿ロータ３の回転速度を調整することで、減湿室６での処理対象空気Ａからの減湿量を調整する例を示したが、これに限らず、減湿量の調整には減湿手段や再生手段の形式に応じて種々の方式を採用することができ、例えば、減湿手段による減湿を施した空気と減湿手段による減湿を施さない一部の処理対象空気との混合空気を減湿後空気Ｂとして冷却手段により冷却する構成にし、この構成において、減湿手段による減湿を施す処理対象空気Ａと減湿手段による減湿を施さない処理対象空気Ａ′との混合比を調整することで、処理対象空気全体に対する減湿量を調整するようにしてもよい。
【００４３】
前述の実施形態では、冷却塔２からの供給冷却水ＣＷを冷媒とする冷却器４により減湿後空気Ｂを冷却する例を示したが、減湿後空気Ｂを冷媒と熱交換させて冷却する冷却手段には種々の冷却形式のものを採用でき、例えば、ヒートポンプにおける冷媒蒸発器を冷却手段として減湿後空気Ｂを冷却する形式や、冷凍機により生成した冷水を冷媒として減湿後空気Ｂを冷却する形式、あるいはまた、井戸水、河川水、海水、湧水などの自然水を冷媒として減湿後空気Ｂを冷却する形式を採用してもよい。
【００４４】
前述の実施形態では、冷却後空気Ｃをエアワッシャ５による加湿により湿球温度線ｍに沿わせて飽和近傍状態まで加湿する例を示したが、冷却後空気Ｃを加湿する加湿手段には種々の加湿形式のものを採用でき、例えば、空気に対する水噴霧や水蒸気噴霧において、その噴霧量の調整による加湿量の調整で、冷却後空気Ｃを飽和線Ｌから離れた目標湿度に加湿する形式を採用してもよい。
【００４５】
また、加湿手段としてエアワッシャを用いる場合、散水ノズル１３からの散布水Ｗと通過空気Ｃとの接触効率を高めるための通気性の充填剤層を水槽１４の上方に配置するようにしてもよい。
【００４６】
加湿手段による加湿後の空気Ｄの目標温湿度状態ｔｄｓ，ｘｄｓは、前述の実施形態で示した如き飽和近傍の温湿度状態に限られるものではなく、飽和線Ｌから離れた温湿度状態であってもいい。
【００４７】
前述の実施形態では、冷却手段４に対する供給冷媒ＣＷの温度変化に応じて目標低下湿度ｘｂｓを低湿側設定値ｘ１と高湿側設定値ｘ２とに二者択一的に切り換える例を示したが、これに代え、冷却手段に対する供給冷媒ＣＷの温度低下に応じて目標低下湿度ｘｂｓを上昇側へ連続的ないし多段階的に変更し、かつ、冷却手段に対する供給冷媒ＣＷの温度上昇に応じて目標低下湿度ｘｂｓを低下側へ連続的ないし多段階的に変更するようにしてもよい。
【００４８】
また、前述の実施形態の如く冷却手段４に対する冷媒供給流量を調整する流量調整手段１２の操作状態に基づき目標低下湿度ｘｂｓの変更を実行する構成に代え、温度センサにより検出する冷媒温度に基づき目標低下湿度ｘｂｓを変更する構成にしてもよい。
【００４９】
本発明によるデシカント空調装置で温湿度調整した空気は、在人域の空調に限らず、所定温湿度の空気が要求される用途であれば、どのような用途にも使用できる。
【図面の簡単な説明】
【図１】装置の全体構成図
【図２】冷媒温度上昇時における温湿度調整形態を示す湿り空気線図
【図３】冷媒温度低下時における温湿度調整形態を示す湿り空気線図
【図４】流量調整弁の開度調整状態を示す図
【図５】流量調整弁の開度調整状態を示す図
【図６】流量調整弁の開度調整状態を示す図
【図７】調整後空気の使用形態を示す図
【図８】調整後空気の他の使用形態を示す図
【符号の説明】
３，６        減湿手段
４            冷却手段
５            加湿手段
７            再生手段
１２          流量調整手段
Ａ            処理対象空気
Ｂ            減湿後空気
Ｃ            冷却後空気
ＣＷ          冷媒
ｔｃ          冷却後空気の温度
Ｘ            乾燥剤
ｘｂ          減湿後空気の絶対湿度
ｘｂｓ        目標低下湿度
【図１】
2004316975.tif 000003
【図２】
2004316975.tif 000004
【図３】
2004316975.tif 000005
【図４】
2004316975.tif 000006
【図５】
2004316975.tif 000007
【図６】
2004316975.tif 000008
【図７】
2004316975.tif 000009
【図８】
2004316975.tif 000010